(57)【要約】      （修正有）【課題】カード挿入時に効果的にカードの跳ね返りを防ぐ識別カードコネクタを提供する。【解決手段】絶縁本体１０には、カードスロット１１及びスライド空間１２を設け、スライド空間の底壁には案内溝１４を凹設し、案内溝の一端の内側方向には案内面１５を設ける。スライド空間内に取り付けるカードリターン機構は、スライド体３１、弾性部品３２、案内棒３３を備える。スライド体は、滑動可能状態でスライド空間内に配置し、スライド体の一端には引き掛け部３１２を形成し、スライド体底端には案内スライド体を突出し、案内スライド体は滑動可能状態で案内溝内に取り付けられる。弾性部品はスライド体とスライド空間の端壁の間に押圧状態で嵌合される。案内棒の一端はスライド体上でスライドし、他の一端は絶縁本体上に固定される。案内スライド体と案内面との相互間の係合により、識別カードを識別カードコネクタ内に安定して挿入できるものである。【選択図】図２
0003168126.tif 000002
【実用新案登録請求の範囲】
【請求項１】
絶縁本体と、複数の信号端子と、カードリターン機構と、カバー外殻体を備える識別カードコネクタにおいて、
前記絶縁本体は、その上にカードスロット及びスライド空間を設け、スライド空間の底壁には案内溝を凹設し、案内溝の一端の内側方向に案内面を設け、
前記複数の信号端子は、絶縁本体上に固設し、
前記カードリターン機構は、スライド空間内に取り付け、スライド体、弾性部品、案内棒を備え、その内、スライド体は、滑動可能状態でスライド空間内に配置し、スライド体の一端にはカードスロット方向に突出する引き掛け部を形成し、スライド体底端には案内スライド体を突出し、案内スライド体は滑動可能状態で案内溝内に取り付け、前記弾性部品は、スライド体とスライド空間の端壁間に押圧状態で嵌合され、前記案内棒の一端は、スライド体上でスライドし、他の一端は、絶縁本体上に固定され、
前記カバー外殻体は、絶縁本体上を被覆することを特徴とする識別カードコネクタ。
【請求項２】
前記識別カードコネクタは、更に一組のスイッチ端子を備え、スイッチ端子は、第一スイッチ端子と第二スイッチ端子を備え、第一スイッチ端子には弾性接触部を備え、第二スイッチ端子には、連接部を備え、前記絶縁本体のカードスロットの一方側には、第一嵌合支持溝と第二嵌合支持溝を配置し、第一スイッチ端子は、第一嵌合支持溝内に嵌合固定し、第二スイッチ端子は、第二嵌合支持溝内に嵌合固定し、弾性接触部と連接部は、カードスロット内に収められることを特徴とする請求項１に記載の識別カードコネクタ。
【請求項３】
前記カバー外殻体は、被覆板と、被覆板の一方側から下方向に延伸する二つの側面板とを備え、被覆板には、弾性加圧制御片を形成し、弾性加圧制御片は案内棒を押圧することを特徴とする請求項１に記載の識別カードコネクタ。
【請求項４】
前記スライド体は、長形体とし、スライド体上面には軌跡曲線溝を形成し、スライド体の一端には、前記引き掛け部を形成し、他の一端には固定支持柱を配置し、スライド体の底端には前記案内スライド体を突設し、スライド空間後端壁には位置制限柱を突設し、弾性部品の一端は、位置制限柱に嵌着し、他の一端は、スライド体の固定支持柱上に嵌着し、案内棒の一端は、絶縁本体上に挿入固定し、他の一端は、可動状態でスライド体の軌跡曲線溝中に係合させることを特徴とする請求項１に記載の識別カードコネクタ。
【考案の詳細な説明】
【技術分野】
【０００１】
本考案は、コネクタに関し、特に、識別カードコネクタに係る。
【背景技術】
【０００２】
公知の識別カードコネクタは通常、絶縁本体、複数の端子、カバー外殻体を備える。前記カードリターン機構にはスライド体を備え、スライド体上には引き掛け部を設け、引き掛け部によって、識別カードを固定し支持する。識別カードコネクタ同様の特許は既に、特許文献１等により公開されている。
【０００３】
しかし、前記識別カードコネクタの引き掛け部は識別カードと安全に係合できないことから、識別カードを識別カードコネクタに挿入時に、跳ね返りが起き易い。
【先行技術文献】
【特許文献】
【０００４】
【特許文献１】中国特許第ＣＮ２０１３５２６５０号明細書
【考案の概要】
【考案が解決しようとする課題】
【０００５】
本考案の目的は、前述した公知技術中における不足点を克服し、カード挿入時に効果的にカードの跳ね返りを防ぐ識別カードコネクタを提供することにある。
【課題を解決するための手段】
【０００６】
前述の目的を達成するために、本考案は識別カードコネクタを提供する。絶縁本体、複数の信号端子、カードリターン機構、及びカバー外殻体を備える識別カードコネクタにおいて、前記絶縁本体には、カードスロット及びスライド空間を設け、スライド空間の底壁には案内溝を凹設し、案内溝の一端の内側方向に案内面を設ける。前記複数の信号端子は、絶縁本体上に固設する。スライド空間内に取り付けるカードリターン機構は、スライド体、弾性部品、案内棒を備える。スライド体は、滑動可能状態でスライド空間内に配置し、スライド体の一端にはカードスロット方向に突出する引き掛け部を形成し、スライド体底端には案内スライド体を突出し、案内スライド体は滑動可能状態で案内溝内に取り付けられる。前記弾性部品はスライド体とスライド空間の端壁の間に押圧状態で嵌合される。前記案内棒の一端はスライド体上でスライドし、他の一端は絶縁本体上に固定される。カバー外殻体は絶縁本体上を被覆する。  
【０００７】
前述したとおり、本考案の識別カードコネクタは、絶縁本体上に備えた案内面と、スライド体上に配置した案内スライド体によって、案内スライド体と案内面を相互に係合させることにより、識別カードを識別カードコネクタ内に安定して挿入できるものである。
【考案の効果】
【０００８】
本考案の識別カードコネクタは、カード挿入時に効果的にカードの跳ね返りを防ぎ、識別カードを安定して挿入できる効果を備えるものである。
【図面の簡単な説明】
【０００９】
【図１】本考案の識別カードコネクタの立体図である。
【図２】図１に示した識別カードコネクタの分解斜視図である。
【図３】図２に示した識別カードコネクタにおけるスライド体の立体図である。
【図４】図２に示したスライド体を別の角度からみた立体図である。
【図５】図１に示した識別カードコネクタの局部立体図である。
【図６】本考案の識別カードコネクタに識別カードを挿入した時の状態図である。
【考案を実施するための形態】
【００１０】
本考案の技術内容、構造特徴、達成目的、及び効果を理解していただくために、次に図面を参照に実施例をあげて詳細説明を行なう。
【実施例】
【００１１】
図１及び図２に示す通り、本考案の識別カードコネクタ１は、絶縁本体１０、複数の信号端子２０、カードリターン機構３０、カバー外殻体４０、及び一組のスイッチ端子５０を備える。
【００１２】
図２及び図３に示す通り、絶縁本体１０は概ね、矩形体形状をなし、絶縁本体１０の前表面には、識別カード６０を挿入するためのカードスロット１１を設ける。絶縁本体１０のカードスロット１１右側には、カードリターン機構３０を取り付けるためのスライド空間１２を配置し、スライド空間１２後端壁には位置制限柱１３を突出させ、スライド空間１２底壁には、細長形の案内溝１４を設ける。案内溝１４前端の内側方向には傾斜した案内面１５を設ける。絶縁本体１０のカードスロット１１左側には、第一嵌合支持溝１６と第二嵌合支持溝１７を配置する。
【００１３】
複数の信号端子２０は、一体成型方式で絶縁本体１０上に固設する。信号端子２０にはそれぞれハンダ接合ピン２１を備える。
【００１４】
図２、図４、図５に示す通り、カードリターン機構３０は、スライド体３１、弾性部品３２、案内棒３３を備える。スライド体３１は、滑動可能状態でスライド空間１２内に配置し、スライド体３１は長形体とし、スライド体３１上面には軌跡曲線溝３１１を形成し、スライド体３１の一端には、カードスロット１１方向に突出する引き掛け部３１２を配置し、スライド体３１の別の一端には固定支持柱３１３を配置し、スライド体３１の底端には案内スライド体３１４を突設し、案内スライド体３１４は、滑動可能状態で絶縁本体１０の案内溝１４内に取り付けられる。弾性部品３２の一端は位置制限柱１３に嵌設し、弾性部品３２の別の一端は、スライド体３１の固定支持柱３１３上に嵌設する。位置制限柱１３は弾性部品３２の移動範囲を制限するためのものである。案内棒３３の一端は、絶縁本体１０上に挿入固定し、他の一端は、可動状態でスライド体３１の軌跡曲線溝３１１中に係合し、案内棒３３は軌跡曲線溝３１１内で二段に分かれて運動し、それぞれがカード挿入とカードを戻す効果を達成する。
【００１５】
図２に示す通り、カバー外殻体４０は、絶縁本体１０上を被覆する。カバー外殻体４０は、被覆板４１と、被覆板４１の一方側から下方向に延伸する二つの側面板４２を備える。カバー外殻体４０の被覆板４１には、加圧制御片溝（未図示）と、加圧制御片溝のエッジ箇所から下方向に傾斜して延伸する弾性加圧制御片４３を備え、弾性加圧制御片４３は案内棒３３を押圧するため、案内棒３３と軌跡曲線溝３１１は安定した係合となる。
【００１６】
図２に示す通り、スイッチ端子５０は第一スイッチ端子５１と第二スイッチ端子５２を備え、第一スイッチ端子５１には細長形の基本部５１１を備える。基本部５１１の一方側には湾曲して延伸した第一ハンダ接合部５１２を形成し、基本部５１１の後端部には弾性接触部５１３を形成する。第二スイッチ端子５２には、第二ハンダ接合部５２１と、第一スイッチ端子５１の弾性接触部５１３と相互に係合する連接部５２２を備える。第一スイッチ端子５１は、第一嵌合支持溝１６内に嵌合固定し、第二スイッチ端子５２は、第二嵌合支持溝１７内に嵌合固定し、第一ハンダ接合部５１２、第二ハンダ接合部５２１、及びハンダ接合ピン２１は回路板（未図示）にハンダ接合するために絶縁本体１０より突出し、弾性接触部５１３と連接部５２２はカードスロット１１内に収められる。
【００１７】
図６に示す通り、使用過程において、識別カード６０には切口６１を備え、識別カード６０をカードスロット１１から挿入する時、スライド体３１の案内スライド体３１４は絶縁本体１０を案内溝１４をレールとしてスライドし、案内溝１４の案内面１５は、スライド時にスライド体３１を識別カード６０方向に接近させ、更に、引き掛け部３１２を従動して識別カード６０方向に接近させるため、引き掛け部３１２と識別カード６０の切口６１は安全性を備えて係合する。それと同時に、識別カード６０の端部が第一スイッチ端子５１の弾性接触部５１３を圧して、弾性接触部５１３と連接部５２２が接触するため、スイッチ端子５０が通電する。
【００１８】
上述に示す通り、本考案の識別カードコネクタ１は、絶縁本体１０に設けた案内面１５と、スライド体３１上に設置した案内スライド体３１４により、案内スライド体３１４と案内面１５は相互に係合し、識別カード６０は識別カードコネクタ１内に安定して挿入される。
【符号の説明】
【００１９】
１  識別カードコネクタ
１０  絶縁本体
１１  カードスロット
１２  スライド空間
１３  位置制限柱
１４  案内溝
１５  案内面
１６  第一嵌合支持溝
１７  第二嵌合支持溝
２０  信号端子
２１  ハンダ接合ピン
３０  カードリターン機構
３１  スライド体
３１１  軌跡曲線溝
３１２  引き掛け部
３１３  固定支持柱
３１４  案内スライド体
３２  弾性部品
３３  案内棒
４０  カバー外殻体
４１  被覆板
４２  側面板
４３  弾性加圧制御片
５０  スイッチ端子
５１  第一スイッチ端子
５１１  基本部
５１２  第一ハンダ接合部
５１３  弾性接触部
５２  第二スイッチ端子
５２１  第二ハンダ接合部
５２２  連接部
６０  識別カード
６１  切口
【図１】
0003168126.tif 000003
【図２】
0003168126.tif 000004
【図３】
0003168126.tif 000005
【図４】
0003168126.tif 000006
【図５】
0003168126.tif 000007
【図６】
0003168126.tif 000008